(57)【特許請求の範囲】
【請求項１】
建築物の外側に配置され建築物に沿って上昇移動する外壁登攀装置であって、
相互に平行をなす複数本の水平支持梁および相互に平行をなして前記水平支持梁に固定される複数本の垂直支柱を備え、足場ないし安全ネットが装着されるユニットフレームと、
前記建築物に水平方向および垂直方向に間隔を隔ててそれぞれ取り外し自在に装着される複数の支持具本体と、
前記水平支持梁が係合する受け溝が設けられるとともに、前記ユニットフレームの前記水平支持梁が係合する支持位置と、前記ユニットフレームを上昇移動させたときに下側の前記水平支持梁により蹴り上げられて前記ユニットフレームの移動を許容する退避位置との間でそれぞれの支持具本体に揺動自在に装着される受けアームとを有することを特徴とする外壁登攀装置。
【請求項２】
請求項１記載の外壁登攀装置において、前記受け溝に係合した状態の前記水平支持梁に係合するフックを前記支持具本体に設けることを特徴とする外壁登攀装置。
【請求項３】
請求項１または２記載の外壁登攀装置において、前記受けアームの前記退避位置を前記受けアームの重心位置が前記支持具本体の前方側となるように規制するストッパを前記受けアームに設けることを特徴とする外壁登攀装置。
【請求項４】
相互に平行をなす複数の水平支持梁および相互に平行をなして前記水平支持梁に固定される複数の垂直支柱を備え、足場ないし安全ネットが装着されるユニットフレームを、建築物の外側に配置し前記建築物に沿って上昇移動する外壁登攀装置に用いるユニット支持具であって、
前記建築物に取り外し自在に装着される支持具本体と、
前記水平支持梁が係合する受け溝が設けられるとともに、前記ユニットフレームの前記水平支持梁が係合する支持位置と、前記ユニットフレームを上昇移動させたときに下側の前記水平支持梁により蹴り上げられて前記ユニットフレームの移動を許容する退避位置との間で支持具本体に揺動自在に装着される受けアームとを有することを特徴とするユニット支持具。
【請求項５】
請求項４記載のユニット支持具において、前記受け溝に係合した状態の前記水平支持梁に係合するフックを前記支持具本体に設けることを特徴とするユニット支持具。
【請求項６】
請求項４または５記載のユニット支持具において、前記受けアームの前記退避位置を前記受けアームの重心位置が前記支持具本体の前方側となるように規制するストッパを前記受けアームに設けることを特徴とするユニット支持具。
【発明の詳細な説明】
【技術分野】
【０００１】
本発明は、足場や安全ネットが装着されて建築物の外側に配置されるユニットフレームを有し、建築物の外壁に沿って上昇移動する外壁登攀装置およびそれに用いるユニット支持具に関する。
【背景技術】
【０００２】
中層ないし高層の建築物を建造する際には、地上から足場を組み上げていくことは困難であることから、建築物の外側に配置されるフレームに足場を装着し、建築物の建築作業の進行に伴ってフレームを上昇移動させるようにした足場ユニットが開発されている。この足場ユニットは、所定の階数、例えば、３階あるいは４階程度の階数に対応する高さのフレームを有し、現場作業員が足場ユニットに設けられた足場板の上で外面塗装作業などの種々の建築作業を行っている間は建築物の躯体部に取り付けられる。現場作業員は所定の作業を終えると足場ユニットから待避し、足場ユニットを建築物の躯体部から取り外す。取り外された足場ユニットはクレーンやホイストなどの起重機により所定の階数まで上昇移動つまり盛り替えられた後、建築物の躯体部に再び取り付けられ、現場作業員は足場ユニットの足場板に乗り込んで建築作業の続きを行う。
【０００３】
このようなタイプの足場ユニットを盛り替える際には、足場ユニットの落下を防止するため、起重機により吊られた状態で建築物の躯体部から取り外されていた。したがって、足場ユニットを盛り替えている間はクレーンなどの起重機を使用し続けることになるが、クレーンなどの起重機は建築資材の上層階への搬入などにも使用されることから、工期を短縮する上での妨げとなっていた。従来、特許文献１に開示されるように、クレーンなどの起重機に代えて、電気チェーンブロックを建築物の躯体部に取り付け、足場ユニットに連結されるチェーンを電気チェーンブロックで巻き取ることにより足場ユニットを登攀移動させる技術が知られている。
【特許文献１】特開２００４−３６０２１４号公報
【発明の開示】
【発明が解決しようとする課題】
【０００４】
建築物の躯体部に対して足場ユニットを取り付けるために、特許文献１に記載されるように、躯体部にブラケットを締結し、足場ユニットのフレームを上下スライド可能にガイドするガイド部と、フレームを固定する固定部とをブラケットに設けるようにした場合には、足場ユニットを上昇移動させるときには、フレームと固定部との干渉を避けるために、フレームを退避移動させるようにする必要がある。このため、足場ユニットを上昇移動させる盛り替え作業に時間がかかることになり、足場ユニットの盛り替え作業を迅速に行う上で妨げとなっていた。
【０００５】
本発明の目的は、盛り替え作業を迅速に行うことができ、盛り替え作業に伴う現場作業員の労力を軽減することにある。
【課題を解決するための手段】
【０００６】
本発明の外壁登攀装置は、建築物の外側に配置され建築物に沿って上昇移動する外壁登攀装置であって、相互に平行をなす複数本の水平支持梁および相互に平行をなして前記水平支持梁に固定される複数本の垂直支柱を備え、足場ないし安全ネットが装着されるユニットフレームと、前記建築物に水平方向および垂直方向に間隔を隔ててそれぞれ取り外し自在に装着される複数の支持具本体と、前記水平支持梁が係合する受け溝が設けられるとともに、前記ユニットフレームの前記水平支持梁が係合する支持位置と、前記ユニットフレームを上昇移動させたときに下側の前記水平支持梁により蹴り上げられて前記ユニットフレームの移動を許容する退避位置との間でそれぞれの支持具本体に揺動自在に装着される受けアームとを有することを特徴とする。
【０００７】
本発明の外壁登攀装置は、前記受け溝に係合した状態の前記水平支持梁に係合するフックを前記支持具本体に設けることを特徴とする。
【０００８】
本発明の外壁登攀装置は、前記受けアームの前記退避位置を前記受けアームの重心位置が前記支持具本体の前方側となるように規制するストッパを前記受けアームに設けることを特徴とする。
【０００９】
本発明の外壁登攀装置は、相互に平行をなす複数の水平支持梁および相互に平行をなして前記水平支持梁に固定される複数の垂直支柱を備え、足場ないし安全ネットが装着されるユニットフレームを、建築物の外側に配置し前記建築物に沿って上昇移動する外壁登攀装置に用いるユニット支持具であって、前記建築物に取り外し自在に装着される支持具本体と、前記水平支持梁が係合する受け溝が設けられるとともに、前記ユニットフレームの前記水平支持梁が係合する支持位置と、前記ユニットフレームを上昇移動させたときに下側の前記水平支持梁により蹴り上げられて前記ユニットフレームの移動を許容する退避位置との間で支持具本体に揺動自在に装着される受けアームとを有することを特徴とする。
【００１０】
本発明のユニット支持具は、前記受け溝に係合した状態の前記水平支持梁に係合するフックを前記支持具本体に設けることを特徴とする。
【００１１】
本発明のユニット支持具は、前記受けアームの前記退避位置を前記受けアームの重心位置が前記支持具本体の前方側となるように規制するストッパを前記受けアームに設けることを特徴とする。
【発明の効果】
【００１２】
本発明によれば、上下方向にずれて水平方向に延びる複数本の水平支持梁と、水平方向にずれて垂直方向に延びて水平支持梁に固定される複数本の垂直支柱とを備えるユニットフレームを建物躯体に取り外し自在に装着されるユニット支持具により支持するようにし、ユニット支持具はユニットフレームを上昇移動させたときに下側の水平支持梁により蹴り上げられて退避位置に向けて揺動した後に支持位置に復帰することになるので、ユニットフレームを上昇移動させるだけでこれの盛り替え操作を行うことができる。
【００１３】
従来のように、ユニット支持具とユニットフレームとを締結するためにクランプ部材を用いると、盛り替え時にクランプ部材の取り外し操作を行う必要があるが、本発明によればそのような作業が不要となり、盛り替え作業を迅速に行うことができる。これにより、盛り替え作業に伴う現場作業員の労力を軽減することができる。
【００１４】
ユニットフレームには安全ネットが装着され、安全ネットに代えるかこれに加えて足場が装着される。安全ネットが装着される場合には、所定の大きさの安全ネットを建築物の工事の進行に伴って徐々に上昇させる。足場が装着される場合には、作業者が建築作業を行う足場板を建築工事の進行に伴って徐々に上昇させることになる。
【発明を実施するための最良の形態】
【００１５】
以下、本発明の実施の形態を図面に基づいて詳細に説明する。図１は本発明の一実施の形態である外壁登攀装置を示す斜視図であり、図２は図１に示されたユニット支持具を示す斜視図であり、図３はユニット支持具の正面図であり、図４は図２における矢印Ａ方向から見たユニット支持具の背面図である。
【００１６】
この外壁登攀装置は、相互に平行な複数本の水平支持梁１１と、相互に平行をなすとともに水平支持梁１１に固定される複数本の垂直支柱１２とを備えるユニットフレーム１０を有している。このユニットフレーム１０は建築物１３の外側に配置されるようになっており、ユニットフレーム１０の外側には建築物１３を覆うための安全ネット１４が装着されている。したがって、このユニットフレーム１０は建築作業中に外部に建築作業工具等が落下しないようにするための養生ユニットとして使用されている。このユニットフレーム１０はこれに足場を装着すると足場ユニットとして使用されることになり、ユニットフレーム１０に安全ネット１４と足場とをともに装着して使用することもできる。
【００１７】
図１に示すユニットフレーム１０は、便宜的に水平支持梁１１と垂直支柱１２とを３本ずつ有しており、建築物１３の３階分の高さとして示されているが、水平支持梁１１と垂直支柱１２の本数は任意の本数とすることができ、ユニットフレーム１０の水平方向の幅寸法と、上下方向の高さ寸法も任意の寸法とすることができる。
【００１８】
ユニットフレーム１０の上端部には、策条部材としてのワイヤ１５が取り付けられており、このワイヤ１５を図示しない巻き上げ機、ホイストおよび起重機等の上下動手段によってユニットフレーム１０は上下方向に移動されるようになっている。巻き上げ機等の種類によっては、ワイヤ１５に代えてチェーンが策条部材として使用されることもある。
【００１９】
ユニットフレーム１０を建築物１３に固定するために、建築物１３の各階床部分のベランダに相当する建物躯体１６ａ〜１６ｃには複数のユニット支持具２０が取り外し自在に装着されている。図１においては、例えば、建物躯体１６ａが３階部分であるとすると、建物躯体１６ｃは５階部分に相当し、各階の建物躯体１６ａ〜１６ｃには、複数のユニット支持具２０が装着されている。したがって、ユニット支持具２０は建築物１３に対して水平方向および垂直方向にそれぞれ間隔を隔てて複数装着されることになる。
【００２０】
図２および図３に示すように、ユニット支持具２０は建築物１３に取り外し自在に装着される支持具本体２１を有し、支持具本体２１は角パイプからなる締結梁２２と、この締結梁２２の一端部に下方に突出して取り付けられる突き当てブロック２３とを備えている。この突き当てブロック２３は、３つの角材を溶接することにより形成されており、ユニット支持具２０が建築物１３に装着されるときには、締結梁２２が建物躯体１６ａ〜１６ｃの先端上面に接触し、突き当てブロック２３が外面に突き当てられることになる。
【００２１】
支持具本体２１を建物躯体に取り外し自在に締結するために、幅調整金具２４が締結梁２２に移動自在に装着されており、その幅調整金具２４にはねじ部材２５がねじ結合され、その先端には円盤形状のクランプ片２６が設けられている。幅調整金具２４は締結梁２２の外側に摺動自在に嵌合する部分と、これに溶接されて下方に突出する部分とを有し、下方に突出する部分に設けられたねじ受け板２４ａにはねじ部材２５がねじ結合されている。したがって、クランプ片２６は突き当てブロック２３に対向するように幅調整金具２４に設けられており、ねじ部材２５の後端部に設けられた頭部２７に装着される工具によってねじ部材２５を回転させることにより、支持具本体２１は突き当てブロック２３とクランプ片２６とにより建物躯体に締結される。ねじ部材２５にはねじ受け板２４ａに締め付けられるロックナット２８が設けられている。
【００２２】
締結梁２２には水平方向に貫通する複数の取付孔２９が長手方向に間隔を置いて形成されており、それぞれの取付孔２９には位置決めピン３０が取り付けられるようになっている。位置決めピン３０が取り付けられる位置を変えることにより、支持具本体２１が装着される建物躯体の幅寸法に応じて、突き当てブロック２３と幅調整金具２４との間の寸法を変化させることができる。
【００２３】
締結梁２２の一端部には受けアーム３１が締結梁２２に設けられた支持軸３２を中心に揺動自在に装着されている。受けアーム３１は図２に示すように２枚のアーム板３３とこれらを相互に連結する３つの連結部材３４〜３６により形成されており、先端部側には水平支持梁１１が係合する受け溝３７が設けられている。受け溝３７は、ほぼ半円形部とこの開口端部から広がるように傾斜した傾斜面とを有している。
【００２４】
受けアーム３１は、図２に示すように水平支持梁１１を受け溝３７に係合させてユニットフレーム１０を支持する支持位置と、図３において実線で示すように退避位置との間で支持具本体２１に揺動自在となっている。受けアーム３１が支持位置となると、２枚のアーム板３３を連結する連結部材３５が突き当てブロック２３の前面に当接し、受けアーム３１が退避位置となると連結部材３６が突き当てブロック２３の上面に当接し、それぞれの連結部材３５，３６はストッパとして機能することになる。なお、図３において二点鎖線は、受けアーム３１が支持位置となった状態を示す。
【００２５】
受けアーム３１を図３において退避位置にまで揺動した状態のもとでは、受けアーム３１の重心は支持軸３２よりも前方側となるように連結部材３６の位置が設定されており、退避位置の受けアーム３１は拘束が解かれると、図３において反時計方向に二点鎖線で示す支持位置に向けて自重で揺動することになる。したがって、受けアーム３１は図３において二点鎖線で示すように支持位置でユニットフレーム１０を支持している状態から、ユニットフレーム１０を上昇移動つまり登攀移動させると、下側の水平支持梁１１により蹴り上げられて退避位置に向けて揺動する。水平支持梁１１が受けアーム３１よりも上方に移動すると、受けアーム３１は自重により支持位置まで自動的に復帰することになる。ただし、自重に加えて支持位置に復帰する方向のばね力を付勢するようにばね部材を支持具本体２１に設けるようにしても良い。
【００２６】
水平支持梁１１が受けアーム３１により支持されるときには、図４に示すように、水平支持梁１１に係合するフック３８が受けアーム３１に取り付けられている。フック３８は受けアーム３１に取り付けられた支持筒３９に移動自在に組み付けられるとともとに、図示しないチェーン等によりフック３８は支持具本体２１から外れないようになっており、ユニットフレーム１０を上昇移動させる際には、フック３８は支持筒３９から取り外される。ただし、１つのユニットフレーム１０は複数のユニット支持具２０により支持されるので、全てのユニット支持具２０のフック３８を水平支持梁１１に係合させる必要はない。
【００２７】
図５はユニットフレーム１０が複数のユニット支持具２０により建築物に固定されている状態を示す正面図であり、この状態のもとでユニットフレーム１０を登攀移動させるときには、まず、図４に示すフック３８を支持筒３９から取り外してフック３８と水平支持梁１１との係合を解く。次いで、巻き上げ機に設けられたワイヤ１５の先端をユニットフレーム１０に引っ掛けて、巻き上げ機によりユニットフレーム１０を上昇移動させる。
【００２８】
図６はユニットフレーム１０をほぼ１階分だけ上昇移動させた状態を示す正面図である。受けアーム３１は、図６に示すように、下側の水平支持梁１１により蹴り上げられて退避位置に向けて揺動し、図６に示す位置よりも高い位置までユニットフレーム１０が上昇移動すると、退避位置に向けて揺動した受けアーム３１は元の支持位置まで自重により復帰する。
【００２９】
図７は退避位置に向けて揺動した受けアーム３１が元の支持位置まで自重により復帰した状態を示す正面図である。この状態のもとで、ユニットフレーム１０を下降移動させると、受けアーム３１の受け溝３７に水平支持梁１１が係合し、ユニットフレーム１０はユニット支持具２０により建築物１３に固定されることになる。なお、この状態のもとでは、建物躯体１６ｃよりも１階分上側の建物躯体に装着される図示しないユニット支持具により上側の水平支持梁１１が支持されることになる。また、建物躯体１６ａに装着されているユニット支持具２０は建物躯体１６ａから撤去される。
【００３０】
このように、ユニットフレーム１０を登攀移動つまり上昇移動させる際には、ユニットフレーム１０を建築物１３から離す方向に移動したり、クランプ具を緩めたりする操作が不要であり、フック３８を外してユニットフレーム１０を上昇移動させるだけで、ユニットフレーム１０の盛り替え操作を行うことができる。したがって、建築物１３を建築する際に上層階が順次建築され、上層階側の外壁工事等の種々の作業が行われるときに、安全ネット１４が設けられたユニットフレーム１０を上層階側が建築される毎に順次ユニットフレーム１０を上昇させることができる。また、既設の建築物１３に外壁塗装等の作業を行う場合にも、順次下層階側から上層階側に向けてユニットフレーム１０を移動させることができる。
【００３１】
図８は足場が装着されたユニットフレーム１０を示す正面図であり、ユニットフレーム１０には上下方向に間隔を置いて複数の足場支持台４１が装着される。図８に示したそれぞれの足場支持台４１とそれぞれに対向して装着される足場支持台との間には、足場板４２が架け渡されることになる。これにより、足場板４２の上で作業者が外壁塗装工事等の種々の作業を行うことができる。足場支持台４１の外側に安全ネット１４を装着することも可能である。
【００３２】
本発明は前記実施の形態に限定されるものではなく、その要旨を逸脱しない範囲で種々変更可能である。たとえば、それぞれのユニット支持具２０は図示する場合には建物躯体としてのベランダの部分に取り外し自在に装着されているが、建築物１３の種類によってはベランダ以外の他の建物躯体にそれぞれのユニット支持具２０は装着される。また、足場をユニットフレーム１０に装着する場合には、図８に示すタイプの足場支持台に限られず、種々のタイプの足場支持台をユニットフレーム１０に装着することができる。
【図面の簡単な説明】
【００３３】
【図１】本発明の一実施の形態である外壁登攀装置を示す斜視図である。
【図２】図１に示されたユニット支持具を示す斜視図である。
【図３】ユニット支持具を示す正面図である。
【図４】図２における矢印Ａ方向から見たユニット支持具の背面図である。
【図５】ユニットフレームが複数のユニット支持具により建築物に固定されている状態を示す正面図である。
【図６】ユニットフレームをほぼ１階分だけ上昇移動させた状態を示す正面図である。
【図７】退避位置に向けて揺動した受けアームが元の支持位置まで自重により復帰した状態を示す正面図である。
【図８】足場が装着されたユニットフレームを示す正面図である。
【符号の説明】
【００３４】
１０      ユニットフレーム
１１      水平支持梁
１２      垂直支柱
１３      建築物
１４      安全ネット
１５      ワイヤ
１６ａ〜１６ｃ    建物躯体
２０      ユニット支持具
２１      支持具本体
２２      締結梁
２３      突き当てブロック
２４      幅調整金具
２５      ねじ部材
２６      クランプ片
３１      受けアーム
３２      支持軸
３３      アーム板
３５，３６    連結部材（ストッパ）
３７      受け溝
３８      フック
４２      足場板
【図１】
0004838620.tif 000002
【図２】
0004838620.tif 000003
【図３】
0004838620.tif 000004
【図４】
0004838620.tif 000005
【図５】
0004838620.tif 000006
【図６】
0004838620.tif 000007
【図７】
0004838620.tif 000008
【図８】
0004838620.tif 000009